(57)【特許請求の範囲】
【請求項１】
内部に絶縁油が充填されたケースと、このケースの側部に形成された切り欠きの周縁に溶着された複数個のタップ穴を有する取付座にパッキンを介してボルトで締め付け固定されている、タップ位置覗き窓や温度計あるいは油面計等の付属品とを備えた油入電気機器において、
前記取付座の複数のタップ穴のうち、前記ボルトが取り付けられていない、少なくとも２つ以上に、スタッドボルトが取り付けられ、該スタッドボルトに対応させてスタッドボルト挿通孔が形成された漏油防止カバーを前記スタッドボルトに挿通させ、前記漏油防止カバーから突出しているスタッドボルトにナットを螺合させて締付けることにより、前記付属品を覆うように、前記漏油防止カバーがパッキンを介して装着されていること
を特徴とする油入電気機器。
【請求項２】
前記漏油防止カバーには切り欠き部が形成され、該切り欠き部を塞ぐようにアクリル板等の透明部材が取付けられていること
を特徴とする請求項１に記載の油入電気機器。
【請求項３】
前記漏油防止カバーはアクリル板等の透明部材で成形されている請求項１に記載の油入電気機器。
【請求項４】
前記漏油防止カバーから突出している前記スタッドボルトにコイルばねと押え板とを遊嵌させ、前記スタッドボルトにナットを螺合させて締付けることにより前記コイルばねがケース側へ押圧されていること
を特徴とする請求項１，２または３に記載の油入電気機器。
【発明の詳細な説明】
【技術分野】
【０００１】
本発明は、内部に絶縁油が充填されたケースの側面に溶着された取付座にパッキンを介して取付けられた付属品を備えた油入電気機器に関するものである。
【背景技術】
【０００２】
油入電気機器には、特許文献１、特許文献２または特許文献３に示されるように、タップ位置がケースの外から確認できるようにタップ位置覗き窓や絶縁油の温度を監視する温度計や、絶縁油の油面位置を監視する油面計等の付属品がそれぞれ装着されている。これらタップ位置覗き窓、温度計、油面計等の付属品は、ケースの側部に形成されたそれぞれの切り欠きの周縁に溶着された複数個のタップ穴を有するそれぞれの取付座にパッキンを介してボルトで締付けることにより油密に装着されている。
【０００３】
例えば油入電気機器である配電用自動電圧調整器は特許文献１に示されるように、タップ付変圧器と、タップ付変圧器のタップ切換を行う負荷時タップ切換器と、負荷時タップ切換器と連動してタップ位置を機械的に表示するタップ位置表示板とを備え、これらは充填された絶縁油と共に絶縁油に充填された状態でケース内に収容されており、配電用自動電圧調整器の操作時、点検時の際に、タップ位置がケース外で確認ができるようになっている。
【０００４】
上記配電用自動電圧調整器のタップ位置覗き窓１ａは図３（Ａ）（Ｂ）に示すように、取付座２と透明部材３と窓枠４とパッキン５ａ,５ｂとからなる。取付座２は厚みが比較的大きい金属板を円形リング状に形成し、その円形の一方の平坦面をケース６に対向させた状態でケース６の側面に形成された円形状の切り欠き６ａの周縁に溶接により取り付けられており、円形の他方の平坦面には複数のタップ穴７が周方向に所定間隔で形成されている。透明部材３はアクリル板等を円形状に形成し、窓枠４は金属板等を円形リング状に形成し、パッキン５ａ,５ｂは円形状に形成しており、窓枠４には取付座２に形成されたタップ穴７に対応させてボルト貫通孔８がそれぞれ形成されている。窓枠４は、取付座２にパッキン５ａと透明部材３とパッキン５ｂとを順次に介在させ、ボルト９を窓枠４に形成されたボルト貫通孔８に挿通させてタップ穴７に螺合させて締め付けることにより取り付けられている。
【先行技術文献】
【特許文献】
【０００５】
【特許文献２】特開２００６−１７９６８０号公報（図１４）
【特許文献３】特開平９−４６８２８号公報（図１）
【特許文献４】特開昭５２−１５１９７７号公報（第１図）
【発明の概要】
【発明が解決しようとする課題】
【０００６】
しかしながら、油入電気機器においては、３０年以上使用されることが多々あり、経年とともにタップ位置覗き窓、温度計、油面計に介在されているパッキンが劣化して油密性が低下し、延いては油漏れ（油漏れは油の滲み出し程度）が起こるというトラブルが発生している。
【０００７】
そのため、漏油対策としては１０年〜１５年でのパッキンの定期取替が推奨されているが、パッキンの取替は、ケース内の絶縁油の油面がタップ位置覗き窓、温度計、油面計等の付属品に介在されているパッキンよりも下方になるまで抜く作業や、タップ位置覗き窓、温度計、油面計等の付属品を取外す作業が必要であり、停電作業となる。また、柱上に設置されている油入電気機器については、停電作業のみならず、降柱作業も必要となり、多くの手間やコストが掛かるという問題があった。
【０００８】
本発明の目的は、停電作業や抜油作業やパッキンの取替作業を行なうことなく、ケースに取付けられている付属品から漏れだした絶縁油がケース外へ漏出するのを防ぐことができるようにした油入電気機器を提供することにある。
【課題を解決するための手段】
【０００９】
第１の発明は、内部に絶縁油が充填されたケースと、このケースの側部に形成された切り欠きの周縁に溶着された複数個のタップ穴を有する取付座にパッキンを介してボルトで締め付け固定されている、タップ位置覗き窓や温度計あるいは油面計等の付属品とを備えた油入電気機器を対象とし、前記取付座の複数のタップ穴のうち、前記ボルトが取り付けられていない、少なくとも２つ以上に、スタッドボルトが取り付けられ、該スタッドボルトに対応させてスタッドボルト挿通孔が形成された漏油防止カバーを前記スタッドボルトに挿通させ、前記漏油防止カバーから突出しているスタッドボルトに締付ナットを螺合させて締付けることにより、前記付属品を覆うように、前記漏油防止カバーを装着するようにしたものである。
【００１０】
第２の発明は、前記漏油防止カバーに切り欠き部を形成し、該切り欠き部を塞ぐようにアクリル板等の透明部材を取付け固定するようにしたものである。
【００１１】
第３の発明は、前記漏油防止カバーをアクリル板等の透明部材で成形するようにしたものである。
【００１２】
第４の発明は、前記漏油防止カバーから突出している前記スタッドボルトにコイルばねと押え板とを遊嵌させ、前記スタッドボルトに締付ナットをそれぞれ螺合させて締付けることにより前記コイルばねをケース側へ押圧するようにしたものである。
【発明の効果】
【００１３】
以上のように、第１の発明によれば、機器に取付けられている付属品から油漏れが発生することが懸念される既設の現地製品である油入電気機器に対し、スタッドボルトとナットとにより付属品に漏油防止カバーを容易に取付けることができて絶縁油のケース外への漏出を防止することができるため、停電作業や抜油作業やパッキンの取替作業が不要となるとともに、降柱作業も不要となり、手間やコストを大幅に低減させることができる。
【００１４】
第２の発明によれば、第１の発明の効果に加えて、漏油防止カバーを取外すことなく、タップ位置、絶縁油の温度または絶縁油の油面位置を漏油防止カバーの外から確認することができる。
【００１５】
第３の発明によれば、第１の発明および第２の発明の効果に加えて、漏油防止カバーの先端面に切り欠き部を形成したり、アクリル板等の透明部材で切り欠き部を塞いだりする作業が不要となり、漏油防止カバーの成形を容易に行なうことができ、コストの低減を図ることができる。
【００１６】
第４の発明によれば、第１の発明および第２の発明および第３の発明の効果に加えて、スタッドボルトに遊嵌させたコイルばねにより、漏油防止カバーのフランジ部がケースへ押圧されるため、ケースとフランジ部の間に介在されているパッキンの弾性力が低下しても常時フランジ部に面圧を長期間に亘って与えることができ、漏油防止カバーの耐漏油寿命の延伸化を図ることができる。
【図面の簡単な説明】
【００１７】
【図１】（Ａ）は本発明に係わる油入電気機器の好ましい実施形態の一例を示した要部を示す正面図、（Ｂ）は（Ａ）のＡ−Ａ線断面矢視図である。
【図２】（Ａ）は本発明に係わる油入電気機器の他の実施形態の要部を示す正面図、（Ｂ）は（Ａ）のＡ−Ａ線断面矢視図である。
【図３】（Ａ）は従来のタップ位置覗き窓を有する油入電気機器の要部を示す正面図、（Ｂ）は（Ａ）のＡ−Ａ線断面矢視図である。
【発明を実施するための最良の形態】
【００１８】
以下図面を参照して本発明の好ましい実施形態を説明する。
（第１の実施形態）
図１（Ａ）、（Ｂ）は本発明の第１の実施形態の要部の構成を配電用自動電圧調整器を用いて示したものである。図１に示すタップ位置覗き窓１ａの基本構成は図３に示すタップ位置覗き窓１ａと同様の構成であり、取付座２２と透明部材２３と窓枠２４とパッキン２５ａ，２５ｂとからなる。取付座２２はケース６の側面に形成された切り欠き６ａの周円に溶接により取り付けられており、複数のタップ穴２７が形成されている。窓枠２４には取付座２２に形成されたタップ穴２７に対応させてボルト貫通孔２８がそれぞれ形成されている。窓枠２４はボルト２９をボルト貫通孔２８に挿通させてタップ穴２７に螺合させて締付けることにより取付けられている。
【００１９】
タップ位置覗き窓１ａの外方には、このタップ位置覗き窓１ａを覆うように漏油防止カバー３０が配置され、スタッドボルト３１ａ，３１ｂ，３１ｃと、このスタッドボルト３１ａ，３１ｂ，３１ｃに螺合された締付ナット３２ａ，３２ｂ，３２ｃとにより固定されている。スタッドボルト３１ａ，３１ｂ，３１ｃは、漏油防止カバー３０の高さ寸法よりも長寸に設定されている。漏油防止カバー３０の先端面には、スタッドボルト３１ａ，３１ｂ，３１ｃに対応させてスタッドボルト挿通孔３３が形成されており、下端部にはパッキン３４を介在するためのフランジ部３５が形成されている。
【００２０】
（第２の実施形態）
図２は本発明の第２の実施形態で用いる漏油防止カバー３０の要部の構成を示したものである。本実施形態では、漏油防止カバー３０の先端面に切り欠き部３０ａを形成し、該切り欠き部３０ａにフランジ部３７を形成している。そして切り欠き部３０ａを塞ぐようにアクリル板等の透明部材３８がフランジ部３７に載置され、接着剤により取付け固定されている。その他の構成は図１に示した実施形態と同様である。
【００２１】
上記のようにアクリル板等の透明部材３８を取付け固定する場合、接着する接着剤としては、水密性および気密性の観点からシーラントのようなシリコン系の樹脂を用いるのが好ましい。
【００２２】
（第３の実施形態）
本発明の第３の実施形態においては、図１に示された漏油防止カバー３０が、アクリル板等の透明部材により成形されている。その他の構成は図１に示した実施形態と同様である。
【００２３】
（第４の実施形態）
本発明の第４の実施形態においては、図１および図２に示されたように、漏油防止カバー３０の先端面から突出しているスタッドボルト３１ａ，３１ｂ，３１ｃにコイルばね３９と押え板４０ａ，４０ｂ，４０ｃとを遊嵌させ、スタッドボルト３１ａ，３１ｂ，３１ｃに螺合された締付ナット３２ａ，３２ｂ，３２ｃを締付けることによりコイルばね３９をケース側へ押圧するようにしたものである。その他の構成は、図１および図２に示した実施形態と同様である。
【００２４】
既設および新規の油入電気機器に対し、付属品１に漏油防止カバー３０を取付ける手順としては、先ず、付属品１を締付けている複数のボルト２９のうち、任意の複数（図示の例では３つ）のボルト２９を取外し、このボルト２９を取外した後の複数のタップ穴２７にスタッドボルト３１ａ，３１ｂ，３１ｃの一方を螺合させた後、固定ナット４１を締付けてスタッドボルト３１ａ、３１ｂ、３１ｃを取付ける。次に、スタッドボルト３１ａ，３１ｂ，３１ｃに対応させてスタッドボルト挿通孔３３が形成された漏油防止カバー３０を、スタッドボルト３１ａ，３１ｂ，３１ｃに挿通させる。次いで、漏油防止カバー３０の先端面から突出しているスタッドボルト３１ａ，３１ｂ，３１ｃにコイルばね３９と押え板４０ａ，４０ｂ，４０ｃとを遊嵌させ、スタッドボルト３１ａ，３１ｂ，３１ｃの他方に締付ナット３２ａ，３２ｂ，３２ｃをそれぞれ螺合させて締付けることにより、油漏れが懸念されるそれぞれの付属品１を覆うように取付けられる。
【符号の説明】
【００２５】
１                        付属品
１ａ                      タップ位置覗き窓
６                        ケース
６ａ                      切り欠き
２２                      取付座
２３                      透明部材
２４                      窓枠
２５ａ，２５ｂ            パッキン
２７                      タップ穴
２８                      ボルト貫通孔
２９                      ボルト
３０                      漏油防止カバー
３０ａ                    切り欠き部
３１ａ，３１ｂ，３１ｃ    スタッドボルト
３２ａ，３２ｂ，３２ｃ    締付ナット
３３                      スタッドボルト挿通孔
３４                      パッキン
３５                      フランジ部
３７                      フランジ部
３８                      透明部材
３９                      コイルばね
４０ａ，４０ｂ，４０ｃ    押え板
４１                      固定ナット
【図１】
0005435779.tif 000002
【図２】
0005435779.tif 000003
【図３】
0005435779.tif 000004